(57)【要約】      （修正有）【課題】表示パネルの様々な形状に対応して位置決め可能な、汎用性を備えた基板接続装置を提供する。【解決手段】パネル載置台２に形成された複数個の締結用ねじ孔１１と、本体１６を有し、本体１６の平面中央部にはねじ１２を嵌挿させる嵌挿孔１７が形成されており、本体１６の長軸方向に沿う両側面には内側スライド用係止部１８が形成されてなる内側治具１５と、前記長軸方向と直交する短軸方向に延在する連接部２１と、連接部２１の一側面における先端部に配設された長軸方向に延在する第１スライド案内板２２と、連接部２１の一側面における中間部に配設された第２スライド案内板２３とを有し、第１スライド案内板２２および第２スライド案内板２３の対向する側面には係止部２４が形成されてなる外側治具２０とからなり、コーナー部が表示パネル１の位置決め基準位置Aとなるように内側治具１５および外側治具２０をパネル載置台２上に配設する。【選択図】図１
2008060311.tif 000002
【特許請求の範囲】
【請求項１】
被接続部を接続作業位置に位置させてパネル載置台上に載置された表示パネルに対し、接続手段により、前記被接続部に配線基板を接続する基板接続装置において、
前記パネル載置台に形成された複数個の締結用ねじ孔と、
平面長方形状の本体を有し、前記本体の平面中央部には前記締結用ねじ孔に螺合されるねじを嵌挿させる嵌挿孔が形成されており、前記本体の長軸方向に沿う両側面には内側スライド用係止部が形成されてなる内側治具と、
前記長軸方向と直交する短軸方向に延在する１本の長尺な連接部と、前記連接部の一側面における先端部に配設された前記長軸方向に延在する長尺な第１スライド案内板と、前記連接部の一側面における中間部に配設された第２スライド案内板とを有し、前記第１スライド案内板および第２スライド案内板の対向する側面には、それぞれ前記内側治具の内側スライド用係止部と嵌合することにより前記前記第１スライド案内板と第２スライド案内板との空間部に前記内側治具をスライド可能に支承する外側スライド用係止部が形成されてなる外側治具とからなり、
前記外側治具の外側スライド用係止部と前記内側治具の内側スライド用係止部とを嵌合させて前記外側治具に内側治具をスライド自在に支承し、前記外側治具の連接部の前記一側面と、前記第２スライド案内板の反内側治具側の側面とにより形成されるコーナー部が前記表示パネルの位置決め基準位置となるように前記内側治具および外側治具をパネル載置台上に配設し、前記パネル載置台の締結用ねじ孔と前記内側治具の嵌挿孔とを合わせて前記内側治具をねじ止めするとともに、前記ねじ止めにより前記内側治具を撓ませることにより前記外側治具を内側治具に固定させるように構成された表示パネルの位置決め機構を備えたことを特徴とする基板接続装置。
【請求項２】
前記位置決め機構の前記締結用ねじ孔は、前記パネル載置台にＸ軸方向、Ｙ軸方向へそれぞれ等間隔に複数個ずつ形成されており、前記位置決め機構の前記内側治具に形成された嵌挿孔は、前記Ｘ軸方向またはＹ軸方向のいずれかに延在する長孔とされ、その延在方向と直交する軸方向に形成された前記締結用ねじ孔のピッチと同寸法で複数個配列形成されている請求項１に記載の基板接続装置。
【発明の詳細な説明】
【技術分野】
【０００１】
本発明は、表示パネルの端子部に他の配線基板を接続させる基板接続装置であって、特に、前記表示パネルの位置決め機構に特徴を有する基板接続装置に関する。
【背景技術】
【０００２】
従来から文字や図形などの各種の画像を表示する表示装置の一種として液晶表示装置が知られており、このような液晶表示装置の表示部として２枚の透明基板の間に液晶が密封された液晶表示パネルが用いられている。
【０００３】
この液晶表示装置においては、液晶表示パネルに対して電流を供給するため、液晶表示パネルの電極端子部に対して液晶駆動用のフレキシブル配線基板の電極端子部が紫外線硬化型の異方性導電材を使用して電気的に接続されている。なお、前記フレキシブル配線基板としては、液晶駆動用のＩＣやＬＳＩチップを搭載したＣＯＦ（chip on film）型のフレキシブル配線基板が用いられることが多い。また、紫外線硬化型の異方性導電材は、紫外線硬化樹脂内に例えば金メッキ層を有する樹脂ビーズなどの導電性粒子を混入した導電性接着材である。
【０００４】
図３および図４は、液晶表示パネルの電極端子部にフレキシブル配線基板の電極端子部を異方性導電材を介して接続させる構成を備えた基板接続装置の一例を示す概略説明図である。
【０００５】
前記基板接続装置は、２枚の透明基板１Ａ、１Ｂを貼り合わせてなる液晶表示パネル１に突出形成された電極端子部１ａを該パネル載置台２の外方へ延在させた状態で載置するパネル載置台２、フレキシブル配線基板３をその電極端子部３ａが前記液晶表示パネル１の電極端子部１ａと対向するように供給可能に載置する配線基板配置台４、紫外線硬化型の異方性導電材Ａを介して位置合わせされ、重ねられた前記液晶表示パネル１の電極端子部１ａとフレキシブル配線基板３の電極端子部３ａとを押圧して圧接させる押圧ヘッド５、前記異方性導電材Ａに対し、液晶表示パネル１の背面側から紫外線を照射する紫外線ランプ６、前記紫外線を電極端子部１ａ，３ａに導くとともに押圧ステージとなるガラス製のライトガイド７とを備えている。
【０００６】
そして、このような構成を備えた基板接続装置においては、前記パネル載置台２に載置された液晶表示パネル１の電極端子部１ａと前記配線基板載置台４に載置されたフレキシブル配線基板３の電極端子部３ａとを、紫外線硬化型の異方性導電材Ａを介して対向させ、重ねた状態で、前記押圧ヘッド５の先端押圧面をフレキシブル配線基板３の電極端子部３ａの形成されていない表面側から当接させて、前記電極端子部１ａ、３ａを圧接させる。
【０００７】
その後、圧接状態において背面側から、前記ライトガイド７および液晶表示パネル１の電極端子部１ａが形成された透明基板１Ａを介して紫外線ランプ６から紫外線を照射して、異方性導電材Ａの紫外線硬化樹脂を硬化させる。
【０００８】
これにより、液晶表示パネル１の電極端子部１ａとフレキシブル配線基板３の電極端子部３ａとを電気的に接続させることができる。
【０００９】
なお、前記基板接着装置においては、前記押圧ヘッド５の配設を省略し、予め前記電極端子部１ａにフレキシブル配線基板３の電極端子部３ａを異方性導電材Ａにて仮接着した状態で、所定の搬送手段にてパネル載置台２および配線基板載置台４上に搬送し、所定の紫外線硬化の工程のみを行なうものであってもよい。
【００１０】
【特許文献１】特開平２００３−１６８８５８号公報
【発明の開示】
【発明が解決しようとする課題】
【００１１】
ところで、前述の基板接続装置においては、前記電極端子部１ａ、３ａの圧着を行なう押圧ヘッド５や前記異方性導電材Ａの紫外線硬化樹脂を硬化させる紫外線ランプ６を用いた接続作業が行われる位置（以下、接続作業位置という）は定位置であり、接続作業時には、該基板接続装置に固定配置された略Ｌ字状の位置決め部材８に合わせて液晶表示パネル１をパネル載置台２上に載置すれば、液晶表示パネル１の電極端子部１ａが自ずと接続作業位置にセットされるように構成されている。そして、従来の基板接続装置においては、液晶表示パネル１の外形毎に前記位置決め部材の配設位置を調整できるような機構を備えていなかったため、液晶表示パネル１の外形（寸法）毎にこのように構成された専用の基板接続装置が必要とされていた。
【００１２】
このように液晶表示パネル１の形状毎に基板接続装置を設計する場合、時間、製作費用、保管スペースなどの点において様々な負担がかかるという問題がある。
【００１３】
そこで、本発明は、表示パネルの様々な形状に対応して位置決め可能な、汎用性を備えた基板接続装置を提供することを目的とするものである。
【課題を解決するための手段】
【００１４】
前述した目的を達成するため、本発明の基板接続装置の第１の特徴は、被接続部を接続作業位置に位置させてパネル載置台上に載置された表示パネルに対し、接続手段により、前記被接続部に配線基板を接続する基板接続装置において、前記パネル載置台に形成された複数個の締結用ねじ孔と、平面長方形状の本体を有し、前記本体の平面中央部には前記締結用ねじ孔に螺合されるねじを嵌挿させる嵌挿孔が形成されており、前記本体の長軸方向に沿う両側面には内側スライド用係止部が形成されてなる内側治具と、前記長軸方向と直交する短軸方向に延在する１本の長尺な連接部と、前記連接部の一側面における先端部に配設された前記長軸方向に延在する第１スライド案内板と、前記連接部の一側面における中間部に配設された第２スライド案内板とを有し、前記第１スライド案内板および第２スライド案内板の対向する側面には、それぞれ前記内側治具の内側スライド用係止部と嵌合することにより前記前記第１スライド案内板および第２スライド案内板間の空間部に前記内側治具をスライド可能に支承する外側スライド用係止部が形成されてなる外側治具とからなり、前記外側治具の外側スライド用係止部と前記内側治具の内側スライド用係止部とを嵌合させて前記外側治具に内側治具をスライド自在に支承し、前記外側治具の連接部の前記一側面と、前記第２スライド案内板の反内側治具側の側面とにより形成されるコーナー部が前記表示パネルの位置決め基準位置となるように前記内側治具および外側治具をパネル載置台上に配設し、前記パネル載置台の締結用ねじ孔と前記内側治具の嵌挿孔とを合わせて前記内側治具をねじ止めするとともに、前記ねじ止めにより前記内側治具を撓ませることにより前記外側治具を内側治具に固定させるように構成された表示パネルの位置決め機構を備えている点にある。
【００１５】
この構成によれば、前記内側治具との関係におけるスライド位置（係止位置）を調整することにより、該位置決め機構の長軸方向における基準位置を任意に調整することができる。
【００１６】
そして、本発明の基板接続装置の第２の特徴は、第１の特徴を備えた基板接続装置において、前記位置決め機構の前記締結用ねじ孔は、前記パネル載置台にＸ軸方向、Ｙ軸方向へそれぞれ等間隔に複数個ずつ形成されており、前記内側治具に形成された嵌挿孔は、前記Ｘ軸方向またはＹ軸方向のいずれかに延在する長孔とされ、その延在方向と直交する軸方向に形成された前記締結用ねじ孔のピッチと同寸法で複数個配列形成されている点にある。
【００１７】
この構成によれば、内側治具をねじ止めするパネル載置台の締結用ねじ孔を選択することにより、該位置決め機構のＸ軸方向、Ｙ軸方向における基準位置をさらに任意に調整することが可能となる。また、長孔とされた嵌挿孔を複数個配列して形成し、内側治具を複数箇所でパネル載置台に締結させるようにしたことにより、内側治具を傾斜させずに厳密な位置に固定することができる。
【発明の効果】
【００１８】
以上のように、本発明の基板接続装置は表示パネルの位置決め機構をＸ軸方向、Ｙ軸方向に調整可能な構成としたので、該基板接続装置は、表示パネルの様々な形状に対応可能な、汎用性を備えたものとなる。
【００１９】
つまり、表示パネルの位置決め機構をＸ軸方向、Ｙ軸方向に調整することで、形状の相違に拘わらず、１台の基板接続装置を以て、表示パネルの被接続部を接続作業位置に位置させることが可能となる。
【００２０】
そして、このように液晶表示パネルの形状毎に基板接続装置を用意する必要がなくなれば、設計時間、製作費用、保管スペースなどの、従来有していた問題点も解決することできるという優れた効果を奏する。
【発明を実施するための最良の形態】
【００２１】
本実施形態の基板接続装置は、被接続部としての電極端子部を接続作業位置に位置させてパネル載置台上に載置された液晶表示パネルの、前記電極端子部に塗工された接続材料としての紫外線硬化樹脂に対し、紫外線照射手段としての紫外線ランプから紫外線を照射して、前記紫外線硬化樹脂を硬化させることにより、前記液晶表示パネルの電極端子部に配線基板としてのフレキシブル配線基板を接続する基板接続装置であって、以下に詳説する表示パネルの位置決め機構を備えている。
【００２２】
基板接続装置における前記位置決め機構の以外の構成については、前述の従来例として説明した基板接続装置と同様の構成として説明を省略し、同一の部材には同一の符号を付す。
【００２３】
本実施形態の基板接続装置における液晶表示パネルの位置決め機構１０は、前記パネル載置台２に形成された複数個の締結用ねじ孔１１と、前記締結用ねじ孔１１にねじ１２を以て締結され、一軸方向、すなわち、本実施形態においてはＹ軸方向（図１の上下方向）における位置決めの基準位置を調整可能とされた内側治具１５と、前記内側治具１５に対してスライド可能に配設され、他軸方向、すなわち、本実施形態においてはＸ軸方向（図１の左右方向）における位置決めの基準位置を調整可能とされた外側治具２０とを備えている。
【００２４】
本実施形態において、前記位置決め機構１０の前記締結用ねじ孔１１は、図１に示すように、前記パネル載置台２にＸ軸方向、Ｙ軸方向へそれぞれ等間隔に複数個ずつ形成されている。
【００２５】
前記内側治具１５は、平面長方形状の薄板部材からなる本体１６を有し、前記本体１６の平面中央部には本体１６の短軸方向であるＹ軸方向に延在して前記締結用ねじ孔１１に螺合させるねじ１２を嵌挿させる長孔１７が形成されている。本実施形態においては、前記長孔１７は、その延在方向と直交する軸方向、すなわち、本体１６の長軸方向であるＸ軸方向に形成された前記締結用ねじ孔１１のピッチと同寸法で２個形成されている。また、前記本体１６のＸ軸方向に延在する両側面における厚さ方向略中央には、断面凸形のレール状とされた内側スライド用係止部１８が形成されている。
【００２６】
そして、前記外側治具２０は、Ｙ軸方向に延在する１本の長尺な薄板部材からなる連接部２１と、前記連接部２１の一側面における先端部に配設されたＸ軸方向に延在する長尺な薄板部材からなる第１スライド案内板２２と、前記連接部２１の一側面における中間部に配設された第２スライド案内板２３とを有している。本実施形態において、前記両スライド案内板２２、２３は、前記内側治具１５のＸ軸方向における長さ寸法とされている。
【００２７】
前記第１スライド案内板２２および第２スライド案内板２３の対向する側面における厚さ方向略中央にはそれぞれ、前記内側治具１５の断面凸形に形成された内側スライド用係止部１８が嵌合することにより、前記第１スライド案内板２２と第２スライド案内板２３との空間部に前記内側治具１８をスライド可能に支承する、外側スライド用係止部２４が形成されている。
【００２８】
さらに詳しくは、本実施形態の基板接続装置において前記内側治具１５は、図２に示すように、前記外側治具２０に対し、その底面を前記外側治具２０の底面よりも浮かせるようにして両スライド案内板２２、２３間の空間部に支承されるような寸法に形成されている。
【００２９】
そして、このような構成とされた位置決め機構１０は、前記外側治具２０の外側スライド用係止部２４と前記内側治具１５の内側スライド用係止部１８とを嵌合させて前記外側治具２０に内側治具１５をスライド自在に支承し、前記外側治具２０の連接部２１の前記一側面と、前記第２スライド案内板２３の反内側治具側側面とにより形成されるコーナー部（図１、図２中、黒太矢印で示す部分）が前記液晶表示パネル１の位置決め基準位置となるように、前記内側治具１５および外側治具２０をパネル載置台２上に配設する。
【００３０】
すなわち、前記パネル載置台２の複数の締結用ねじ孔１１の中の適当な隣位の２つのねじ孔１１に、前記内側治具１５の長孔を合わせて、締結用のねじ１２を使用して前記内側治具１５をねじ止めする。このように１つの内側治具１５を複数箇所においてパネル載置台２に締結させるようにしたことにより、内側治具１５を傾斜させずに厳密な位置に固定することができる。そして、前記ねじ止めにより前記内側治具１５の本体１６を撓ませることにより、前記外側治具２０の外側スライド用係止部２４と内側治具１５の内側スライド用係止部１８との摩擦力を高めて、内側治具１５に外側治具２０を固定する。
【００３１】
その締結の際、前記内側治具１５に形成された長孔１７内におけるねじ１２の位置を調整することにより、該位置決め機構のＹ軸方向における基準位置を微調整するとともに、前記内側治具１５との関係における外側治具２０のスライド位置（係止位置）を調整することにより、該位置決め機構のＸ軸方向における基準位置を調整するようにする。
【００３２】
例えば、前記長孔１７の長手方向寸法を、配列形成された前記締結用ねじ孔１１のＹ軸方向におけるピッチ寸法の１／２以上とすることで、前記締結用ねじ孔１１の選択と、長孔１７内におけるねじ１２の位置調整により、Ｙ軸方向における前記基準位置を任意の場所に設定することが可能となる。
【００３３】
また、Ｘ軸方向における前記基準位置の設定についても、前記内側治具１５に対し、配列形成された前記締結用ねじ孔１１のＸ軸方向におけるピッチ寸法程度に前記外側治具２０をスライドさせた状態で締結可能に構成することで、Ｘ軸方向における前記基準位置をねじ孔の選択と前記外側治具２０のスライド位置の調整により、任意の場所に設定することが可能となる。
【００３４】
そして、このような液晶表示パネル１の位置決め機構１０を備えた基板接着装置は、様々な形状の液晶表示パネル１に対応可能な、汎用性を備えたものとなる。
【００３５】
つまり、本実施形態の基板接続装置においては、該パネル載置台２に載置された液晶表示パネル１の電極端子部１ａがパネル載置台２の外方へ延在し、前記電極端子部１ａに塗布あるいは印刷により塗工された、接続材料としての紫外線硬化樹脂からなる異方性導電材Ａに紫外線ランプ５から照射される紫外線をライトガイド７を介して照射可能に、その接続作業位置に臨むように予め調整して、前記位置決め機構１０を配設する。
【００３６】
その際、本実施形態の基板接続装置においては、液晶表示パネル１の形状の相違に拘わらず、１台の基板接続装置を以て、前述のように簡単な作業にて、位置決め機構の調整を行なうことができる。
【００３７】
そして、このように液晶表示パネルの形状毎に基板接続装置を用意する必要がなくなれば、設計時間、製作費用、保管スペースなどの問題も解決することできる。
【００３８】
なお、本発明は、前述した実施の形態に限定されるものではなく、必要に応じて種々の変更が可能である。
【００３９】
例えば、前記表示パネルは液晶表示パネルに限ることなく、配線基板もＣＯＦ型のフレキシブル配線基板、単なる接続ケーブルとしてのフレキシブル配線基板に限ることなく、ＴＡＢ基板であってもよい。また、異方性導電材も紫外線硬化型に限らず、熱硬化型であってもよい。さらに、Ｙ軸方向に形成される連接部に、外側スライド用係止部を形成し、他の内側治具を用いてスライド可能とする機構としてもよい。
【図面の簡単な説明】
【００４０】
【図１】本発明の基板接着装置の要部である、表示パネルの位置決め機構の構成を示す平面図
【図２】図１のＡ−Ａ断面図
【図３】従来の基板接着装置の構成を示す模式的側面図
【図４】図３の基板接着装置における表示パネルの位置決め部材を示す要部平面図
【符号の説明】
【００４１】
１  液晶表示パネル
１ａ  電極端子部
２  パネル載置台
３  フレキシブル配線基板
３ａ  電極端子部
４  配線基板載置台
５  押圧ヘッド
６  紫外線ランプ
７  ライトガイド
８  位置決め部材
１０  位置決め機構
１１  締結用ねじ孔
１２  ねじ
１５  内側治具
１６  本体
１７  長穴
１８  内側スライド用係止部
２０  外側治具
２１  連接部
２２  第１スライド案内板
２３  第２スライド案内板
２４  外側スライド用係止部
【図１】
2008060311.tif 000003
【図２】
2008060311.tif 000004
【図３】
2008060311.tif 000005
【図４】
2008060311.tif 000006